【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  相互に種類の異なる記録情報が、当該各記録情報の再生手順を示す再生手順情報を夫々伴って記録されている情報記録媒体であって、
二以上の前記記録情報を連続して再生するための再生手順を示す統合再生手順情報が記録されており、
異なる種類の各前記記録情報は、前記統合再生手順情報により相互に独立して再生される記録単位であり、且つ、ビデオ情報、オーディオ情報又はデータ情報のうちのいずれかにより構成されており、
更に、二以上の前記記録情報は、少なくとも前記データ情報を含む前記統合再生手順情報により連続して再生される記録情報であることを特徴とする情報記録媒体。
【請求項２】  請求項１に記載の情報記録媒体において、
前記統合再生手順情報は、異なる種類の連続して再生すべき前記記録情報に対応する前記再生手順情報を指し示す指示情報を少なくとも含んでいることを特徴とする情報記録媒体。
【請求項３】  請求項１又は２に記載の情報記録媒体において、
各前記再生手順情報は、各前記記録情報が前記情報記録媒体に記録された際の記録手順とは異なる手順で各前記記録情報を再生するための再生手順情報であることを特徴とする情報記録媒体。
【請求項４】  請求項１に記載の情報記録媒体において、
異なる種類の各前記記録情報は、異なる種類のフォーマットを用いて記録された情報により構成されていることを特徴とする情報記録媒体。
【請求項５】  請求項１から４のいずれか一項に記載の情報記録媒体において、
当該情報記録媒体がＤＶＤであることを特徴とする情報記録媒体。
【請求項６】  請求項１に記載の情報記録媒体において、
前記統合再生手順情報は、ビデオ情報である前記記録情報のみの再生手順を示す前記再生手順情報又はオーディオ情報である前記記録情報のみの再生手順を示す前記再生手順情報のいずれかを指定する情報を少なくとも含んで、当該ビデオ情報である前記記録情報又は当該オーディオ情報である前記記録情報の再生手順を制御するための統合再生手順情報であることを特徴とする情報記録媒体。
【請求項７】  相互に種類の異なる記録情報が、当該各記録情報の再生手順を示す再生手順情報を夫々伴って記録されている情報記録媒体に対して、二以上の前記記録情報を連続して再生するための再生手順を示す統合再生手順情報を記録する情報記録装置であって、
前記統合再生手順情報の生成に用いるべき前記再生手順情報を選択する選択手段と、
前記選択された再生手順情報を用いて前記統合再生手順情報を生成する生成手段と、
前記生成された統合再生手順情報を前記情報記録媒体に記録する記録手段と、
を備え、
異なる種類の各前記記録情報は、前記統合再生手順情報により相互に独立して再生される記録単位であり、且つ、ビデオ情報、オーディオ情報又はデータ情報のうちのいずれかにより構成されており、
二以上の前記記録情報は、少なくとも前記データ情報を含む前記統合再生手順情報により連続して再生される記録情報であることを特徴とする情報記録装置。
【請求項８】  請求項７に記載の情報記録装置において、
前記統合再生手順情報の生成に用いるべき前記再生手順情報が前記情報記録媒体上にないとき、必要な前記再生手順情報を新たに生成する手順情報生成手段を更に備え、
前記生成手段は、前記選択された再生手順情報及び前記新たに生成された再生手順情報を用いて前記統合再生手順情報を生成することを特徴とする情報記録装置。
【請求項９】  請求項７に記載の情報記録装置において、
異なる種類の各前記記録情報は、異なる種類のフォーマットを用いて記録された情報により構成されていることを特徴とする情報記録装置。
【請求項１０】  請求項７から９のいずれか一項に記載の情報記録装置において、
当該情報記録媒体がＤＶＤであることを特徴とする情報記録装置。
【請求項１１】  請求項７に記載の情報記録装置において、
前記選択手段は、前記統合再生手順情報の生成に用いるべき前記再生手順情報として、ビデオ情報である前記記録情報のみの再生手順を示す前記再生手順情報又はオーディオ情報である前記記録情報のみの再生手順を示す前記再生手順情報のいずれかを選択し、
前記生成手段は、前記選択されたいずれかを用いて前記統合再生手順情報を生成することを特徴とする情報記録装置。
【請求項１２】  相互に種類の異なる記録情報が、当該各記録情報の再生手順を示す再生手順情報を夫々伴って記録されている情報記録媒体に対して、二以上の前記記録情報を連続して再生するための再生手順を示す統合再生手順情報を記録する情報記録方法であって、
前記統合再生手順情報の生成に用いるべき前記再生手順情報を選択する選択工程と、
前記選択された再生手順情報により前記統合再生手順情報を生成する生成工程と、
前記生成された統合再生手順情報を前記情報記録媒体に記録する記録工程と、
を含み、
異なる種類の各前記記録情報は、前記統合再生手順情報により相互に独立して再生される記録単位であり、且つ、ビデオ情報、オーディオ情報又はデータ情報のうちのいずれかにより構成されており、
二以上の前記記録情報は、少なくとも前記データ情報を含む前記統合再生手順情報により連続して再生される記録情報であることを特徴とする情報記録方法。
【請求項１３】  請求項１２に記載の情報記録方法において、
前記統合再生手順情報の生成に用いるべき前記再生手順情報が前記情報記録媒体上にないとき、必要な前記再生手順情報を新たに生成する手順情報生成工程を更に備え、
前記生成工程においては、前記選択された再生手順情報及び前記新たに生成された再生手順情報を用いて前記統合再生手順情報を生成することを特徴とする情報記録方法。
【請求項１４】  請求項１２に記載の情報記録方法において、
前記選択工程においては、前記統合再生手順情報の生成に用いるべき前記再生手順情報として、ビデオ情報である前記記録情報のみの再生手順を示す前記再生手順情報又はオーディオ情報である前記記録情報のみの再生手順を示す前記再生手順情報のいずれかが選択され、
前記生成工程においては、前記選択されたいずれかを用いて前記統合再生手順情報が生成されることを特徴とする情報記録方法。
【請求項１５】  相互に種類の異なる記録情報が、当該各記録情報の再生手順を示す再生手順情報を夫々伴って記録されている情報記録媒体に対して、二以上の前記記録情報を連続して再生するための再生手順を示す統合再生手順情報を記録する情報記録装置に含まれるコンピュータを、
前記統合再生手順情報の生成に用いるべき前記再生手順情報を選択する選択手段、
前記選択された再生手順情報を用いて前記統合再生手順情報を生成する生成手段、及び、
前記生成された統合再生手順情報を前記情報記録媒体に記録する記録手段、
として機能させる情報記録制御プログラムであって、
異なる種類の各前記記録情報は、前記統合再生手順情報により相互に独立して再生される記録単位であり、且つ、ビデオ情報、オーディオ情報又はデータ情報のうちのいずれかにより構成されており、
二以上の前記記録情報は、少なくとも前記データ情報を含む前記統合再生手順情報により連続して再生される記録情報であることを特徴とする情報記録制御プログラムが前記コンピュータにより読取可能に記録されている情報記録媒体。
【請求項１６】  請求項１５に記載の情報記録媒体において、
前記コンピュータを、前記統合再生手順情報の生成に用いるべき前記再生手順情報が前記情報記録媒体上にないとき、必要な前記再生手順情報を新たに生成する手順情報生成手段として更に機能させると共に、
前記生成手段として機能するコンピュータを、前記選択された再生手順情報及び前記新たに生成された再生手順情報を用いて前記統合再生手順情報を生成するように機能させることを特徴とする前記情報記録制御プログラムが前記コンピュータにより読取可能に記録されている情報記録媒体。
【請求項１７】  請求項１５に記載の情報記録媒体において、
前記情報記録制御プログラムは、前記選択手段として機能する前記コンピュータを、前記統合再生手順情報の生成に用いるべき前記再生手順情報として、ビデオ情報である前記記録情報のみの再生手順を示す前記再生手順情報又はオーディオ情報である前記記録情報のみの再生手順を示す前記再生手順情報のいずれかを選択するように制御し、
更に前記生成手段として機能する前記コンピュータを、前記選択されたいずれかを用いて前記統合再生手順情報を生成するように制御することを特徴とする当該情報記録制御プログラムが前記コンピュータにより読取可能に記録されている情報記録媒体。
【請求項１８】  相互に種類の異なる記録情報が、当該各記録情報の再生手順を示す再生手順情報を夫々伴って記録されていると共に、二以上の前記記録情報を連続して再生するための再生手順を示す統合再生手順情報が記録されている情報記録媒体から前記記録情報を再生する情報再生装置であって、
いずれかの前記統合再生手順情報を選択する選択手段と、
前記選択された統合再生手順情報により示される再生手順に対応する前記再生手順情報を取得する取得手段と、
前記取得された再生手順情報により示される再生手順に従って各前記記録情報を再生する再生手段と、
を備え、
異なる種類の各前記記録情報は、前記統合再生手順情報により相互に独立して再生される記録単位であり、且つ、ビデオ情報、オーディオ情報又はデータ情報のうちのいずれかにより構成されており、
二以上の前記記録情報は、少なくとも前記データ情報を含む前記統合再生手順情報により連続して再生される記録情報であることを特徴とする情報再生装置。
【請求項１９】  請求項１８に記載の情報再生装置において、
前記統合再生手順情報は、異なる種類の連続して再生すべき前記記録情報に対応する前記再生手順情報を指し示す指示情報を少なくとも含んでいることを特徴とする情報再生装置。
【請求項２０】  請求項１８又は１９に記載の情報再生装置において、
各前記再生手順情報は、各前記記録情報が前記情報記録媒体に記録された際の記録手順とは異なる手順で各前記記録情報を再生するための再生手順情報であることを特徴とする情報再生装置。
【請求項２１】  請求項１８に記載の情報再生装置において、
異なる種類の各前記記録情報は、異なる種類のフォーマットを用いて記録された情報により構成されていることを特徴とする情報再生装置。
【請求項２２】  請求項１８から２１のいずれか一項に記載の情報再生装置において、
前記情報記録媒体がＤＶＤであることを特徴とする情報再生装置。
【請求項２３】  請求項１８に記載の情報再生装置において、
前記統合再生手順情報は、ビデオ情報である前記記録情報のみの再生手順を示す前記再生手順情報又はオーディオ情報である前記記録情報のみの再生手順を示す前記再生手順情報のいずれかを指定する情報を少なくとも含んで、当該ビデオ情報である前記記録情報又は当該オーディオ情報である前記記録情報の再生手順を制御するための統合再生手順情報であることを特徴とする情報再生装置。
【請求項２４】  相互に種類の異なる記録情報が、当該各記録情報の再生手順を示す再生手順情報を夫々伴って記録されていると共に、二以上の前記記録情報を連続して再生するための再生手順を示す統合再生手順情報が記録されている情報記録媒体から前記記録情報を再生する情報再生方法であって、
いずれかの前記統合再生手順情報を選択する選択工程と、
前記選択された統合再生手順情報により示される再生手順に対応する前記再生手順情報を取得する取得工程と、
前記取得された再生手順情報により示される再生手順に従って各前記記録情報を再生する再生工程と、
を含み、
異なる種類の各前記記録情報は、前記統合再生手順情報により相互に独立して再生される記録単位であり、且つ、ビデオ情報、オーディオ情報又はデータ情報のうちのいずれかにより構成されており、
二以上の前記記録情報は、少なくとも前記データ情報を含む前記統合再生手順情報により連続して再生される記録情報であることを特徴とする情報再生方法。
【請求項２５】  請求項２４に記載の情報再生方法において、
前記統合再生手順情報は、ビデオ情報である前記記録情報のみの再生手順を示す前記再生手順情報又はオーディオ情報である前記記録情報のみの再生手順を示す前記再生手順情報のいずれかを指定する情報を少なくとも含んで、当該ビデオ情報である前記記録情報又は当該オーディオ情報である前記記録情報の再生手順を制御するための統合再生手順情報であることを特徴とする情報再生方法。
【請求項２６】  相互に種類の異なる記録情報が、当該各記録情報の再生手順を示す再生手順情報を夫々伴って記録されていると共に、二以上の前記記録情報を連続して再生するための再生手順を示す統合再生手順情報が記録されている情報記録媒体から前記記録情報を再生する情報再生装置に含まれるコンピュータを、
いずれかの前記統合再生手順情報を選択する選択手段、
前記選択された統合再生手順情報により示される再生手順に対応する前記再生手順情報を取得する取得手段、及び、
前記取得された再生手順情報により示される再生手順に従って各前記記録情報を再生する再生手段、
として機能させる情報再生制御プログラムであって、
異なる種類の各前記記録情報は、前記統合再生手順情報により相互に独立して再生される記録単位であり、且つ、ビデオ情報、オーディオ情報又はデータ情報のうちのいずれかにより構成されており、
二以上の前記記録情報は、少なくとも前記データ情報を含む前記統合再生手順情報により連続して再生される記録情報であることを特徴とする情報再生制御プログラムが前記コンピュータにより読取可能に記録されている情報記録媒体。
【請求項２７】  請求項２６に記載の情報記録媒体において、
前記統合再生手順情報は、ビデオ情報である前記記録情報のみの再生手順を示す前記再生手順情報又はオーディオ情報である前記記録情報のみの再生手順を示す前記再生手順情報のいずれかを指定する情報を少なくとも含んで、当該ビデオ情報である前記記録情報又は当該オーディオ情報である前記記録情報の再生手順を制御するための統合再生手順情報であることを特徴とする情報再生制御プログラムが前記コンピュータにより読取可能に記録されている情報記録媒体。
【手続補正２】
【補正対象書類名】明細書
【補正対象項目名】００１１
【補正方法】変更
【補正の内容】
【００１１】
【課題を解決するための手段】
上記の課題を解決するために、請求項１に記載の発明は、相互に種類の異なる記録情報が、当該各記録情報の再生手順を示す再生手順情報を夫々伴って記録されている情報記録媒体であって、二以上の前記記録情報を連続して再生するための再生手順を示す統合再生手順情報が記録されており、異なる種類の各前記記録情報は、前記統合再生手順情報により相互に独立して再生される記録単位であり、且つ、ビデオ情報、オーディオ情報又はデータ情報のうちのいずれかにより構成されており、更に、二以上の前記記録情報は、少なくとも前記データ情報を含む前記統合再生手順情報により連続して再生される記録情報であるように構成される。
【手続補正３】
【補正対象書類名】明細書
【補正対象項目名】００１２
【補正方法】変更
【補正の内容】
【００１２】
上記の課題を解決するために、請求項７に記載の発明は、相互に種類の異なる記録情報が、当該各記録情報の再生手順を示す再生手順情報を夫々伴って記録されている情報記録媒体に対して、二以上の前記記録情報を連続して再生するための再生手順を示す統合再生手順情報を記録する情報記録装置であって、前記統合再生手順情報の生成に用いるべき前記再生手順情報を選択する選択手段と、前記選択された再生手順情報を用いて前記統合再生手順情報を生成する生成手段と、前記生成された統合再生手順情報を前記情報記録媒体に記録する記録手段と、を備え、異なる種類の各前記記録情報は、前記統合再生手順情報により相互に独立して再生される記録単位であり、且つ、ビデオ情報、オーディオ情報又はデータ情報のうちのいずれかにより構成されており、二以上の前記記録情報は、少なくとも前記データ情報を含む前記統合再生手順情報により連続して再生される記録情報であるように構成される。
【手続補正４】
【補正対象書類名】明細書
【補正対象項目名】００１３
【補正方法】変更
【補正の内容】
【００１３】
上記の課題を解決するために、請求項１２に記載の発明は、相互に種類の異なる記録情報が、当該各記録情報の再生手順を示す再生手順情報を夫々伴って記録されている情報記録媒体に対して、二以上の前記記録情報を連続して再生するための再生手順を示す統合再生手順情報を記録する情報記録方法であって、前記統合再生手順情報の生成に用いるべき前記再生手順情報を選択する選択工程と、前記選択された再生手順情報により前記統合再生手順情報を生成する生成工程と、前記生成された統合再生手順情報を前記情報記録媒体に記録する記録工程と、を含み、異なる種類の各前記記録情報は、前記統合再生手順情報により相互に独立して再生される記録単位であり、且つ、ビデオ情報、オーディオ情報又はデータ情報のうちのいずれかにより構成されており、二以上の前記記録情報は、少なくとも前記データ情報を含む前記統合再生手順情報により連続して再生される記録情報であるように構成される。
【手続補正５】
【補正対象書類名】明細書
【補正対象項目名】００１４
【補正方法】変更
【補正の内容】
【００１４】
上記の課題を解決するために、請求項１５に記載の発明、相互に種類の異なる記録情報が、当該各記録情報の再生手順を示す再生手順情報を夫々伴って記録されている情報記録媒体に対して、二以上の前記記録情報を連続して再生するための再生手順を示す統合再生手順情報を記録する情報記録装置に含まれるコンピュータを、前記統合再生手順情報の生成に用いるべき前記再生手順情報を選択する選択手段、前記選択された再生手順情報を用いて前記統合再生手順情報を生成する生成手段、及び、前記生成された統合再生手順情報を前記情報記録媒体に記録する記録手段、として機能させる情報記録制御プログラムであって、異なる種類の各前記記録情報は、前記統合再生手順情報により相互に独立して再生される記録単位であり、且つ、ビデオ情報、オーディオ情報又はデータ情報のうちのいずれかにより構成されており、二以上の前記記録情報は、少なくとも前記データ情報を含む前記統合再生手順情報により連続して再生される記録情報である情報記録制御プログラムが前記コンピュータにより読取可能に記録されている。
【手続補正６】
【補正対象書類名】明細書
【補正対象項目名】００１５
【補正方法】変更
【補正の内容】
【００１５】
上記の課題を解決するために、請求項１８に記載の発明は、相互に種類の異なる記録情報が、当該各記録情報の再生手順を示す再生手順情報を夫々伴って記録されていると共に、二以上の前記記録情報を連続して再生するための再生手順を示す統合再生手順情報が記録されている情報記録媒体から前記記録情報を再生する情報再生装置であって、いずれかの前記統合再生手順情報を選択する選択手段と、前記選択された統合再生手順情報により示される再生手順に対応する前記再生手順情報を取得する取得手段と、前記取得された再生手順情報により示される再生手順に従って各前記記録情報を再生する再生手段と、を備え、異なる種類の各前記記録情報は、前記統合再生手順情報により相互に独立して再生される記録単位であり、且つ、ビデオ情報、オーディオ情報又はデータ情報のうちのいずれかにより構成されており、二以上の前記記録情報は、少なくとも前記データ情報を含む前記統合再生手順情報により連続して再生される記録情報であるように構成される。
【手続補正７】
【補正対象書類名】明細書
【補正対象項目名】００１６
【補正方法】変更
【補正の内容】
【００１６】
上記の課題を解決するために、請求項２４に記載の発明は、相互に種類の異なる記録情報が、当該各記録情報の再生手順を示す再生手順情報を夫々伴って記録されていると共に、二以上の前記記録情報を連続して再生するための再生手順を示す統合再生手順情報が記録されている情報記録媒体から前記記録情報を再生する情報再生方法であって、いずれかの前記統合再生手順情報を選択する選択工程と、前記選択された統合再生手順情報により示される再生手順に対応する前記再生手順情報を取得する取得工程と、前記取得された再生手順情報により示される再生手順に従って各前記記録情報を再生する再生工程と、を含み、異なる種類の各前記記録情報は、前記統合再生手順情報により相互に独立して再生される記録単位であり、且つ、ビデオ情報、オーディオ情報又はデータ情報のうちのいずれかにより構成されており、二以上の前記記録情報は、少なくとも前記データ情報を含む前記統合再生手順情報により連続して再生される記録情報であるように構成される。
【手続補正８】
【補正対象書類名】明細書
【補正対象項目名】００１７
【補正方法】変更
【補正の内容】
【００１７】
上記の課題を解決するために、請求項２６に記載の発明は、相互に種類の異なる記録情報が、当該各記録情報の再生手順を示す再生手順情報を夫々伴って記録されていると共に、二以上の前記記録情報を連続して再生するための再生手順を示す統合再生手順情報が記録されている情報記録媒体から前記記録情報を再生する情報再生装置に含まれるコンピュータを、いずれかの前記統合再生手順情報を選択する選択手段、前記選択された統合再生手順情報により示される再生手順に対応する前記再生手順情報を取得する取得手段、及び、前記取得された再生手順情報により示される再生手順に従って各前記記録情報を再生する再生手段、として機能させる情報再生制御プログラムであって、異なる種類の各前記記録情報は、前記統合再生手順情報により相互に独立して再生される記録単位であり、且つ、ビデオ情報、オーディオ情報又はデータ情報のうちのいずれかにより構成されており、二以上の前記記録情報は、少なくとも前記データ情報を含む前記統合再生手順情報により連続して再生される記録情報である情報再生制御プログラムが前記コンピュータにより読取可能に記録されている。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】削除
【補正の内容】
【手続補正４２】
【補正対象書類名】明細書
【補正対象項目名】０２０７
【補正方法】変更
【補正の内容】
【０２０７】
以上説明したように、実施形態の統合再生リストによれば、二種以上の記録情報を連続して再生するための統合再生リストＧＬがＤＶＤ１に記録されているので、種類の異なる記録情報を、その境界を跨いで連続して所望の再生手順により再生することができる。
従って、複数種類の記録情報が記録されているＤＶＤ１から各記録情報を再生する場合に、より変化に富んだ再生態様でそれらを再生することができる。
【手続補正４３】
【補正対象書類名】明細書
【補正対象項目名】０２１１
【補正方法】変更
【補正の内容】
【０２１１】
また、情報記録媒体がＤＶＤであるので、異なる種類の記録情報を長時間再生することができる。
なお、上述した実施形態においては、データ情報についての記録形態及び再生処理については言及していないが、当該データ情報についても他の記録情報と同様に統合再生リストＧＬにより再生態様を制御することができる。
【手続補正４４】
【補正対象書類名】明細書
【補正対象項目名】０２２４
【補正方法】削除
【補正の内容】
【手続補正４５】
【補正対象書類名】明細書
【補正対象項目名】０２２５
【補正方法】削除
【補正の内容】
【手続補正４６】
【補正対象書類名】明細書
【補正対象項目名】０２２６
【補正方法】削除
【補正の内容】
【手続補正４７】
【補正対象書類名】明細書
【補正対象項目名】０２２７
【補正方法】削除
【補正の内容】
【手続補正４８】
【補正対象書類名】明細書
【補正対象項目名】０２２８
【補正方法】削除
【補正の内容】
【手続補正４９】
【補正対象書類名】明細書
【補正対象項目名】０２２９
【補正方法】削除
【補正の内容】
【手続補正５０】
【補正対象書類名】明細書
【補正対象項目名】０２３０
【補正方法】削除
【補正の内容】
【手続補正５１】
【補正対象書類名】明細書
【補正対象項目名】０２３１
【補正方法】削除
【補正の内容】
【手続補正５２】
【補正対象書類名】明細書
【補正対象項目名】０２３２
【補正方法】削除
【補正の内容】
【手続補正５３】
【補正対象書類名】明細書
【補正対象項目名】０２３３
【補正方法】削除
【補正の内容】
【手続補正５４】
【補正対象書類名】明細書
【補正対象項目名】０２３４
【補正方法】削除
【補正の内容】
【手続補正５５】
【補正対象書類名】明細書
【補正対象項目名】０２３５
【補正方法】削除
【補正の内容】
【手続補正５６】
【補正対象書類名】明細書
【補正対象項目名】０２３６
【補正方法】削除
【補正の内容】
【手続補正５７】
【補正対象書類名】明細書
【補正対象項目名】０２３７
【補正方法】削除
【補正の内容】
【手続補正５８】
【補正対象書類名】明細書
【補正対象項目名】０２３８
【補正方法】削除
【補正の内容】
【手続補正５９】
【補正対象書類名】明細書
【補正対象項目名】０２３９
【補正方法】削除
【補正の内容】
【手続補正６０】
【補正対象書類名】明細書
【補正対象項目名】０２４０
【補正方法】削除
【補正の内容】
【手続補正６１】
【補正対象書類名】明細書
【補正対象項目名】０２４１
【補正方法】削除
【補正の内容】
【手続補正６２】
【補正対象書類名】明細書
【補正対象項目名】０２４２
【補正方法】削除
【補正の内容】
【手続補正６３】
【補正対象書類名】明細書
【補正対象項目名】０２４３
【補正方法】削除
【補正の内容】
【手続補正６４】
【補正対象書類名】明細書
【補正対象項目名】０２４４
【補正方法】削除
【補正の内容】
【手続補正６５】
【補正対象書類名】明細書
【補正対象項目名】０２４５
【補正方法】削除
【補正の内容】
【手続補正６６】
【補正対象書類名】明細書
【補正対象項目名】０２４６
【補正方法】削除
【補正の内容】
【手続補正６７】
【補正対象書類名】明細書
【補正対象項目名】０２４７
【補正方法】削除
【補正の内容】
【手続補正６８】
【補正対象書類名】明細書
【補正対象項目名】０２４８
【補正方法】削除
【補正の内容】
【手続補正６９】
【補正対象書類名】明細書
【補正対象項目名】０２４９
【補正方法】削除
【補正の内容】
【手続補正７０】
【補正対象書類名】明細書
【補正対象項目名】０２５０
【補正方法】削除
【補正の内容】